(57)【特許請求の範囲】
【請求項１】
機体フレーム（２）にＶ型２シリンダで構成されるエンジン（３）を搭載してボンネット（１８）で被覆し、前記エンジン（３）には後側に冷却ファン（２６）を設けて後方から前方に冷却風を送る構成とし、前記エンジン（３）の左右一側に設ける第１シリンダ（３ａ）と左右他側に設ける第２シリンダ（３ｂ）の排気口にそれぞれ第１エキゾーストパイプ（１９）と第２エキゾーストパイプ（２０）を前方へ突出するように延出し、前記第１エキゾーストパイプ（１９）の終端側を上り傾斜に前方延出し、前記第２エキゾーストパイプ（２０）の始端側を上り傾斜に前方に延出し、中途部を前記第１エキゾーストパイプ（１９）側に屈折して第１エキゾーストパイプ（１９）の終端部に接続し、前記第１エキゾーストパイプ（１９）の終端部に合流エキゾーストパイプ（２１）を接続し、前記合流エキゾーストパイプ（２１）の始端部を前上り傾斜に構成し中途部から第２エキゾーストパイプ（２０）側に屈曲し、その終端部をエンジン（３）の第２エキゾーストパイプ（２０）の側方に配置したマフラー（２２）に接続したことを特徴とする移動農機の冷却装置。
【請求項２】
マフラー（２２）を第１室（２２ａ）と第２室（２２ｂ）とで構成し、合流エキゾーストパイプ（２１）の終端部をマフラー（２２）の第１室（２２ａ）に接続し、第２室（２２ｂ）の排気口に排気パイプ（２３）を接続し、前記第１室（２２ａ）における排気の流入部位に貫通状態の冷却パイプ（２５）を配設し、該冷却パイプ（２５）内に冷却風が流れることを特徴とする請求項１記載の移動農機の冷却装置。
【発明の詳細な説明】
【０００１】
【発明の属する技術分野】
この発明は、移動農機の冷却装置に関するものである。
【０００２】
【従来技術】
従来の移動農機のエンジン３のエキゾーストパイプは、図１０に示すように、エンジン３の左右一側の第２シリンダ３ｂに第２エキゾーストパイプ２０を前方へ延出するように接続し、左右他側の第１シリンダ３ａに接続されている第１エキゾーストパイプ１９をその始端側を前方に突出し、次いで、他側に屈折して第２エキゾーストパイプ２０に接続し、第２エキゾーストパイプ２０の終端部に合流エキゾーストパイプ２１を接続して、エンジン３の第２エキゾーストパイプ２０側に設けたマフラーに排気を導く構成である。
【０００３】
【発明が解決しようとする問題点】
従来装置では、エンジン３の停止時には、第１シリンダ３ａの排気弁に対して第２シリンダ３ｂの排気弁が所定角度遅れで開くことから、第２シリンダ３ｂの停止時に排気弁が開くことが多く、第２シリンダ３ｂからの排気中の生ガスが短い第２エキゾーストパイプ２０、合流エキゾーストパイプ２１を経てマフラー２２に流れ、マフラー２２内でアフタバーンが発生するという不具合があった。
【０００４】
そこで、この発明は、このような不具合を解消しようとするものである。
【０００５】
【問題を解決するための手段】
このような技術的課題を解決するために、請求項１の発明は、機体フレーム（２）にＶ型２シリンダで構成されるエンジン（３）を搭載してボンネット（１８）で被覆し、前記エンジン（３）には後側に冷却ファン（２６）を設けて後方から前方に冷却風を送る構成とし、前記エンジン（３）の左右一側に設ける第１シリンダ（３ａ）と左右他側に設ける第２シリンダ（３ｂ）の排気口にそれぞれ第１エキゾーストパイプ（１９）と第２エキゾーストパイプ（２０）を前方へ突出するように延出し、前記第１エキゾーストパイプ（１９）の終端側を上り傾斜に前方延出し、前記第２エキゾーストパイプ（２０）の始端側を上り傾斜に前方に延出し、中途部を前記第１エキゾーストパイプ（１９）側に屈折して第１エキゾーストパイプ（１９）の終端部に接続し、前記第１エキゾーストパイプ（１９）の終端部に合流エキゾーストパイプ（２１）を接続し、前記合流エキゾーストパイプ（２１）の始端部を前上り傾斜に構成し中途部から第２エキゾーストパイプ（２０）側に屈曲し、その終端部をエンジン（３）の第２エキゾーストパイプ（２０）の側方に配置したマフラー（２２）に接続したことを特徴とする。
【０００６】
エンジン３の冷却ファン２６により冷却風を後方から前方に送ってエンジン３を冷却すると共に、第１エキゾーストパイプ１９、第２エキゾーストパイプ２０及び合流エキゾーストパイプ２１を冷却し、冷却された排気がマフラー２２に送られる。
【０００７】
請求項２の発明は、マフラー（２２）を第１室（２２ａ）と第２室（２２ｂ）とで構成し、合流エキゾーストパイプ（２１）の終端部をマフラー（２２）の第１室（２２ａ）に接続し、第２室（２２ｂ）の排気口に排気パイプ（２３）を接続し、前記第１室（２２ａ）における排気の流入部位に貫通状態の冷却パイプ（２５）を配設し、該冷却パイプ（２５）内に冷却風が流れることを特徴とする。
【０００８】
エンジン３の冷却ファン２６により冷却風を後方から前方に送ってエンジン３を冷却すると共に、第１エキゾーストパイプ１９、第２エキゾーストパイプ２０及び合流エキゾーストパイプ２１を冷却し、合流エキゾーストパイプ２１を経て冷却された排気がマフラー２２に送られる。
【０００９】
また、合流エキゾーストパイプ２１からの排気はマフラー２２の第１室２２ａの冷却パイプ２５に向けて送り込まれ、内部に冷却風の流れている冷却パイプ２５により更に排気は冷却される。
【００１０】
【発明のび効果】
請求項１の発明は、左右一側に設けられている第２シリンダ３ｂに接続している第２エキゾーストパイプ２０を、左右他側の第１エキゾーストパイプ１９側に屈折して長く構成して第１エキゾーストパイプ１９に接続したので、第２シリンダ３ｂからマフラー２２までの排気距離が長くなり、また、第２エキゾーストパイプ２０及び合流エキゾーストパイプ２１を流れる間に排気が冷却されて、エンジン停止時における生ガスのマフラー２２への流れを排気温度を下げながら減少させることができ、アフタバーンを少なくし、騒音の低減を図ることができる。
【００１１】
また、請求項２の発明は、請求項１の発明に加えて、マフラー２２の第１室２２ａの排気流入部には内部に冷却風の流れている冷却パイプ２５を設けたので、合流エキゾーストパイプ２１から流入する排気が更に冷却され、マフラー２２内での排気のアフタバーンを効果的に防止し、騒音の低減を図ることができる。
【００１２】
【発明の実施の形態】
以下、本発明の乗用管理機の実施例の形態について説明する。まず、図１により乗用管理機１の全体構成について説明する。機体フレーム２の前部上方にエンジン３を搭載し、機体フレーム２の前後中間部に走行ミッションケース４を配置し、機体フレーム２の後部にＰＴＯミッションケース（図示省略）を配置している。機体フレーム２の前部下方には、正面視逆Ｕ字状のフロントアクスルケース６の左右中間部を揺動自在に支持し、フロントアクスルケース６の左右両端部には、左・右前輪７，７を軸支した左・右前輪ケース８，８を縦軸回りに回動できるように取り付けている。
【００１３】
また、機体フレーム２の後部下方には、正面視逆Ｕ字形のリヤーアクスルケース９の左右中間部を連結固着して、リヤーアクスルケース９の左右両側下部には、左・右後輪１０，１０を軸支した左・右後輪ケース１１，１１を縦軸回りに支持している。
【００１４】
機体フレーム２の前後方向中間上部には、ハンドルポスト１２を後斜め上方に向けて延出し、ハンドルポスト１２の上部にはステアリングハンドル１３を回転自在に支持している。ステアリングハンドル１３により操舵用油圧バルブを操作し、前・後操舵用油圧シリンダを伸縮し、左・右前輪ケース８，８及び左・右後輪ケース１１，１１を縦軸回りに回動して、左・右前輪７，７及び左・右後輪１０，１０を操舵する構成である。
【００１５】
また、ハンドルポスト１２の上部にはメータパネル１４を取り付け、ハンドルポスト１２の一側部には、主変速レバー及び副変速レバーを取り付け、他側部にはスロットルレバーを取り付けている。機体フレーム２の後部上方には、取付台（図示省略）を介して操縦席１６を取り付け、取付台（図示省略）の左側部分にＰＴＯ変速レバーを取り付けている。また、操縦席１６の左右両側及び後側を囲むように防除タンク１７を配置している。
【００１６】
機体フレーム２にエンジン３を搭載するに際しては、ラジエータを後側に、原動軸を前方に突出するように配置し、原動軸からの動力を、エンジン３の下方に前後方向に沿わせて配置した伝動軸を経て分岐伝動ケースに伝達し、分岐伝動ケースで分岐された作業機動力は、作業機伝動軸を経由してＰＴＯ軸に伝達され、分岐された走行動力は主クラッチ装置を経て走行ミッションケース４に伝達される。走行ミッションケース４で主変速装置（図示省略）及び副変速装置（図示省略）で変速された走行動力は、前輪走行軸、フロントアクスルケース６、前輪伝動装置を経て左・右前輪７，７に伝達され、また、変速された動力は後輪走行軸、リヤーアクスルケース９、後輪伝動装置を経て左・右後輪１０，１０に伝達される。また、主変速装置（図示省略）及び副変速装置（図示省略）で変速された作業機変速動力は、作業機第２伝動軸を経て第２ＰＴＯ軸に伝達される。
【００１７】
次に、図２〜図１１に基づきエンジン３のエキゾーストパイプ及びマフラー２２部の構成について説明する。エンジン３は、この実施例では、ガソリンエンジンのＶ型２シリンダで構成されていて、エンジン３をボンネット１８で被覆し、ボンネット１８の前部左右両側に左右のヘッドライトを配置している。
【００１８】
エンジン３の第１・第２シリンダ３ａ，３ｂの前側の排気口に、第１・第２エキゾーストパイプ１９，２０の始端側を前方へ突出するように接続している。第１エキゾーストパイプ１９の終端側を上り傾斜に延出し、第２エキゾーストパイプ２０を始端側を前方に突出させ、中途部を第１エキゾーストパイプ１９側の右側に屈折して第１エキゾーストパイプ１９の終端部に接続し合流させている。第１エキゾーストパイプ１９の終端部に合流エキゾーストパイプ２１の始端部を接続し、合流エキゾーストパイプ２１の始端部を前上り傾斜に屈曲し、中途部から左側に屈曲し、次いで左下り傾斜として左側に延出している。
【００１９】
ボンネット１８の左側にはマフラー２２を前後方向に沿わせて配置し、取付具を介して機体フレーム２に取り付け、マフラーカバー２４で被覆している。前記合流エキゾーストパイプ２１の終端部をマフラー２２の前側の第１室２２ａに接続し、マフラー２２の後側の第２室２２ｂの排気口には、排気パイプ２３を接続し、排気パイプ２３の終端側を上方に延出している。なお、排気パイプ２３は二重壁構成とし、その中間部にグラスウールを介装している。
【００２０】
エンジン３の後側には冷却ファン２６を設けて、冷却風を後方から前方に送ってエンジン３を冷却し、更に、前方に流れた冷却風で第１・第２エキゾーストパイプ１９，２０、及び、合流エキゾーストパイプ２１を冷却し、次いで、マフラー２２の冷却パイプ２５に流入し、冷却パイプ２５を冷却する構成としている。
【００２１】
従来のエキゾーストパイプは、図１０に示すように、エンジン３の第２シリンダ３ｂに第２エキゾーストパイプ２０を前方へ延出するように接続し、第１シリンダ３ａに接続されている第１エキゾーストパイプ１９を始端側を前方に突出し、次いで、右側に屈折して第２エキゾーストパイプ２０に接続し、第２エキゾーストパイプ２０の終端部に合流エキゾーストパイプ２１を接続して排気をマフラー２２に導く構成である。
【００２２】
しかして、エンジン３の停止時には、第１シリンダ３ａの排気弁に対して第２シリンダ３ｂの排気弁が所定角度遅れで開くことから、第２シリンダ３ｂの停止時に排気弁が開くことが多く、第２シリンダ３ｂからの排気中の生ガスが短い第２エキゾーストパイプ２０、合流エキゾーストパイプ２１を経てマフラー２２に流れ、マフラー２２内でアフタバーンが発生するという不具合があった。
【００２３】
しかし、この実施例では、第２シリンダ３ｂに接続している第２エキゾーストパイプ２０を、第１エキゾーストパイプ１９側に屈折して長くし第１エキゾーストパイプ１９に接続する構成したので、第２シリンダ３ｂからマフラー２２までの排気距離が長くなり、また、第２エキゾーストパイプ２０及び合流エキゾーストパイプ２１を流れる間に排気が冷却されて、エンジン停止時の生ガスのマフラー２２への流れを減少させると共に排気温度を下げることができて、アフタバーンを少なくすることができる。
【００２４】
なお、図１１に示すように、第１・第２エキゾーストパイプ１９，２０に局部的な傍出部２７を構成すると、冷却風の当たりがよく冷却効果をより高めることができる。また、前記実施例では、第１エキゾーストパイプ１９、第２エキゾーストパイプ２０、合流エキゾーストパイプ２１が、図７に示すように、側面視前上り傾斜で、平面視で夫れ夫れが重ならないように配置されているので、前側に流れる冷却風がこれらエキゾーストパイプにむらなく当たり効果的に冷却することができる。
【００２５】
また、従来装置は、図９に示すように、マフラー２２は第１室２２ａ及び第２室２２ｂで構成されていて、エンジン３からの排気は先ず第１室２２ａに入り、連通路２２ｃを経て第２室２２ｂに流れる構成であり、第２室２２ｂでアフタバーンが発生するという不具合があった。
【００２６】
この実施例では、マフラー２２の第１室２２ａにおける排気の流入部位に、例えば丸パイプを貫通溶接して冷却パイプ２５を設け、冷却パイプ２５内に冷却風が流れる構成としている。しかして、マフラー２２の冷却パイプ２５内に冷却風を通して冷却し、排気がマフラー２２の第１室２２ａ内に流入し冷却パイプ２５に当たることにより冷却され、マフラー２２内での排気のアフタバーンを防止し、合わせて騒音の低減を図ることができる。
【図面の簡単な説明】
【図１】  乗用管理機の側面図である。
【図２】  要部の側面図である。
【図３】  要部の正面図である。
【図４】  要部の正面図である。
【図５】  要部の平面図である。
【図６】  要部の背面図である。
【図７】  要部の右側面図である。
【図８】  要部の切断側面図、斜視図である。
【図９】  従来装置の要部の切断側面図である。
【図１０】  従来装置の要部の斜視図である。
【図１１】  要部の斜視図である。
【符号の説明】
１  乗用管理機（移動農機）
２  機体フレーム
３  エンジン
３ａ  第１シリンダ
３ｂ  第２シリンダ
１８  ボンネット
１９  第１エキゾーストパイプ
２０  第２エキゾーストパイプ
２１  合流エキゾーストパイプ
２２  マフラー２２
２２ａ  第１室
２２ｂ  第２室
２５  冷却パイプ
２６  冷却ファン
【図１】
0004736279.tif 000002
【図２】
0004736279.tif 000003
【図３】
0004736279.tif 000004
【図４】
0004736279.tif 000005
【図５】
0004736279.tif 000006
【図６】
0004736279.tif 000007
【図７】
0004736279.tif 000008
【図８】
0004736279.tif 000009
【図９】
0004736279.tif 000010
【図１０】
0004736279.tif 000011
【図１１】
0004736279.tif 000012